(57)【要約】【課題】薄型電池搭載表示器を提供する。【解決手段】本考案の表示器１は、フレーム１０と、表示面板１１と、薄型電池１２を含み、該表示面板１１は、フレーム１０内に載置され、電池１２は、表示面板１１付近の背面に貼り付けられ、固定され、電池１２の電力出力は、表示面板１１と該面板が接続する装置が必要な電源を供給することに用い、それにより、表示面板１１が接続する装置の体積と重量を低減し、携帯に便利にすることができる。【選択図】図１
0003146401.tif 000002
【実用新案登録請求の範囲】
【請求項１】
フレームと、表示面板と、薄型電池を含み、そのうち、該表示面板は、フレーム内に載置され、電池は、表示面板付近の背面に貼り付けられ、固定され、電池の電力出力は、表示面板と該面板が接続する装置が必要な電源を供給することに用いる薄型電池搭載表示器。
【請求項２】
前記薄型電池が所定の箇所に電力出力用の金属導片を設け、表示面板は、該金属導片の相応する箇所に接触弾性片を設け、金属導片と接触弾性片の接触により電池の電力を表示面板の使用に供給する請求項１記載の薄型電池搭載表示器。
【請求項３】
前記フレームの一側に少なくとも１つのラッチを設け、該ラッチが表示面板背面に搭載の薄型電池を固定する請求項１記載の薄型電池搭載表示器。
【請求項４】
前記薄型電池が所定の箇所に定位孔を設け、固定部材を介して該電池を表示面板の背面またはフレーム上に固定する請求項１記載の薄型電池搭載表示器。
【請求項５】
表示面板を組み込むフレーム内に電池を搭載する空間を残し、該フレームの一側に溝を開設し、該溝の幅と高さが電池の幅と高さよりやや大きく、電池を挿入する方式で溝から電池を搭載する空間に進入させる請求項１記載の薄型電池搭載表示器。
【請求項６】
前記フレーム内に導電部材を残し、表示面板と電気接続し、同時に電池が該導電部材に相応する位置に、導電孔を設け、該電池をフレームに挿入させた後、対応挿入方式で導電部材を導電孔と接触させ、電池の電力を表示面板に供給使用させる請求項１記載の薄型電池搭載表示器。
【請求項７】
前記薄型電池が所定の箇所に電力出力用の金属導片を設け、表示面板は、該金属導片の相応する箇所に接触弾性片を設け、金属導片と接触弾性片の接触により電池の電力を表示面板の使用に供給する請求項１記載の薄型電池搭載表示器。
【請求項８】
フレームと、表示面板と、薄型電池と、を含み、該表示面板がフレーム内に載置され、電池は、表示面板付近の背面に貼り付けられ、フレームをノート型パソコンのスクリーンボードと組み合わせた後、該電池を固定し、電池の電力出力が表示面板及び該面板に接続する装置が必要な電源を供給することに用いることができる薄型電池搭載表示器。
【考案の詳細な説明】
【技術分野】
【０００１】
本考案は、表示器に関し、特に薄型電池搭載表示器に関する。
【背景技術】
【０００２】
液晶表示器（liquid  crystal  display、ＬＣＤ）は、消耗電量、発熱量が少なく、軽薄であり、非発光式表示等の特性を有しているので、既に従来の陰極線管表示器（ＣＲＴ）に取って代わり、一般に消費される電子製品に配備される主流機器となっている。
【０００３】
大まかに述べれば、液晶表示器の製造過程は、液晶材料をガラス電極を有する２つの平板ガラス中に注入し、且つその外側に偏光板（又は偏光膜）を貼り、液晶表示器セル（ＬＣＤ  Cell）を構成し、駆動回路、制御回路およびバックライト部材を含み、設置し、液晶面板モジュール（ＬＣＭ）としてなり、該液晶面板モジュールは、更に外枠構造でパッケージを定位し液晶表示器となる。
【０００４】
従来の液晶表示器は、独立電源を外接するか、接続する電子設備から電源を供給することで始めて動作することができる。そのうち、独立電源の外接は、携帯に不利であり、また、例えば、表示器をノート型パソコンに搭載する場合、パソコン本体が備える電池から電源を供給することができるが、該電池は、パソコン本体の大部分の空間を占め、該携帯パソコンの体積を小型化することに不利であり、パソコンヒートシンクの配置等に影響を及ぼし、ノート型パソコンの性能がデスクトップ型パソコンを超えることができなくさせている。
【特許文献１】特開平５−２０２３５８号公報
【考案の開示】
【考案が解決しようとする課題】
【０００５】
本考案の目的は、表示器に独立電源供給を具備させ、携帯に便利であり、更に表示器と接続する電子設備に供給することができ、例えば、常用のノート型パソコンが必要な電源であり、該パソコン本体内に元々搭載する電池空間を、その他の設備を増加し、パソコンの性能を向上させることに利用させるか、パソコン本体の体積を縮小させ、使用者の携帯に更に便利にすることができる薄型電池搭載表示器を提供することである。
【課題を解決するための手段】
【０００６】
本考案の目的を達成する為、本考案の表示器は、フレームと、表示面板と、薄型電池を含み、該表示面板は、フレーム内に載置され、電池は、表示面板付近の背面に貼り付けられ、固定され、電池の電力出力は、表示面板と該面板が接続する装置が必要な電源を供給することに用いる。
本考案は、下記の特徴を有する。
（１）フレームと、表示面板と、薄型電池を含み、そのうち、該表示面板は、フレーム内に載置され、電池は、表示面板付近の背面に貼り付けられ、固定され、電池の電力出力は、表示面板と該面板が接続する装置が必要な電源を供給することに用いる薄型電池搭載表示器。
（２）前記薄型電池が所定の箇所に電力出力用の金属導片を設け、表示面板は、該金属導片の相応する箇所に接触弾性片を設け、金属導片と接触弾性片の接触により電池の電力を表示面板の使用に供給する（１）記載の薄型電池搭載表示器。
（３）前記フレームの一側に少なくとも１つのラッチを設け、該ラッチが表示面板背面に搭載の薄型電池を固定する（１）記載の薄型電池搭載表示器。
（４）前記薄型電池が所定の箇所に定位孔を設け、固定部材を介して該電池を表示面板の背面またはフレーム上に固定する（１）記載の薄型電池搭載表示器。
（５）表示面板を組み込むフレーム内に電池を搭載する空間を残し、該フレームの一側に溝を開設し、該溝の幅と高さが電池の幅と高さよりやや大きく、電池を挿入する方式で溝から電池を搭載する空間に進入させる（１）記載の薄型電池搭載表示器。
（６）前記フレーム内に導電部材を残し、表示面板と電気接続し、同時に電池が該導電部材に相応する位置に、導電孔を設け、該電池をフレームに挿入させた後、対応挿入方式で導電部材を導電孔と接触させ、電池の電力を表示面板に供給使用させる（１）記載の薄型電池搭載表示器。
（７）前記薄型電池が所定の箇所に電力出力用の金属導片を設け、表示面板は、該金属導片の相応する箇所に接触弾性片を設け、金属導片と接触弾性片の接触により電池の電力を表示面板の使用に供給する（１）記載の薄型電池搭載表示器。
（８）フレームと、表示面板と、薄型電池と、を含み、該表示面板がフレーム内に載置され、電池は、表示面板付近の背面に貼り付けられ、フレームをノート型パソコンのスクリーンボードと組み合わせた後、該電池を固定し、電池の電力出力が表示面板及び該面板に接続する装置が必要な電源を供給することに用いることができる薄型電池搭載表示器。
【考案の効果】
【０００７】
従来の技術と比較し、本考案の「薄型電池搭載表示器」は、表示器が独立電源供給を具備する以外に、該電池が更に表示と接続する電子設備、例えば、常用のノート型パソコンが必要な電源に供給でき、該パソコン本体内の電池を搭載する空間をその他の設備を増加することに用い、パソコンの性能を向上させることができ、または、パソコン本体の体積を縮小することに用い、使用者の携帯に便利にすることができ、使用の効果を確実に増進する。
【考案を実施するための最良の形態】
【０００８】
図１は、表示器１を有するノート型パソコン２の実施例である。該図から分かるように、本考案の「薄型電池搭載表示器」は、フレーム１０と、表示面板１１と、薄型電池１２と、を含み、そのうち、該表示面板１１は、フレーム１０内に載置され、電池１２は、表示面板１１付近の背面に貼られ、フレーム１０をノート型パソコン２のスクリーンボード２１と組み合わせた後、該電池１２を固定し、電池１２の電力出力は、表示面板１１と該面板１１が接続するノート型パソコン２０が必要な電源を供給することに用いることができる。
【０００９】
図２に示すように、前記の薄型電池１２は、所定の箇所に出力電力用の金属導片１２１を設け、表示面板１１は、該金属導片１２１との相応する箇所に接触弾性片１１１を設け、金属導片１２１と接触弾性片１１１の接触は、電池１２の電力出力を表示面板１１に使用させることができる。更に電池１２とパソコン本体２０の間は、フレキシブルプリント回路板またはバス配線（図示せず）を介して電力を伝送し、パソコン本体２０の作動電源も該電池１２を介して供給できるようにする。
【００１０】
薄型電池１２と表示面板１１の固定方式は、下記の幾つかの実施例を有する：
（１） 図２において、表示面板１１を組み込むフレーム１０上において、少なくとも１つのラッチ１０１がフレーム１０の一側に設置され、該ラッチ１０１により表示面板１１背面に載置する薄型電池１２を固定する。
（２） 図３において、該薄型電池１２の所定の箇所に定位孔１２２を開設し、例えば、螺子等の固定部材１３を介して該電池１２を表示面板１１の背面またはフレーム１０上に直接固定する。
（３） 図４において、表示面板１１に組み込むフレーム１０内に電池１２を搭載する空間を残し、該フレーム１０の一側に溝１０２を開設し、該溝１０２の幅と高さは、電池１２の幅と高さよりやや大きく、電池１２を挿入する方式で溝１０２から電池１２を載置する空間へ進入させる。該フレーム１０内に導電部材１０３を残し、表示面板１１と電気接続することができ、同時に電池１２が該導電部材１０３に相応する位置に、導電孔１２３を設け、該電池をフレーム１０内に挿入させた後、対応挿入方式で導電部材１０３を導電孔１２３と接触させ、電池１２の電力を表示面板１１に供給使用させる。
【００１１】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００１２】
【図１】本考案の薄型電池搭載表示面板の局部分解図である。
【図２】本考案の薄型電池の第１組み込み説明図である。
【図３】本考案の薄型電池の第２組み込み説明図である。
【図４】本考案の薄型電池の第３組み込み説明図である。
【符号の説明】
【００１３】
１  表示器
１０  フレーム
１１  表示面板
１２  薄型電池
１３  固定部材
１０１  ラッチ
１０２  溝
１０３  導電部材
１１１  接触弾性部材
１２１  金属導片
１２２  定位孔
１２３  導電孔
２  ノート型パソコン
２０  パソコン本体
【図１】
0003146401.tif 000003
【図２】
0003146401.tif 000004
【図３】
0003146401.tif 000005
【図４】
0003146401.tif 000006